(57)【要約】【課題】グースネック型のコンデンサマイクロホンにおいて、支持パイプ内に挿通されるマイクコードを支持パイプの口金に対して電気的にも機械的にも確実に接続する。【解決手段】上端側でマイクロホンユニットを支持している支持パイプ２０の下端に取り付けられる口金２２０内に、支持パイプ２０の嵌合穴２２１の底部から口金の下端にかけてマイクコード３０の外径よりも大径の拡径円筒部２２３を形成するとともに、マイクコード３０には少なくとも拡径円筒部２２３に挿通される部分にシールド被覆線露出部３３ａを形成し、拡径円筒部２２３内にシールド被覆線露出部３３ａの周りに配置される導電布５１設け、ロックリング５４により導電布５１を圧縮してシールド被覆線露出部３３ａと拡径円筒部２２３の内面とに緊密に接触させる。【選択図】図２
2008311897.tif 000002
【特許請求の範囲】
【請求項１】
マイクロホンユニットと、上記マイクロホンユニットを上端側で支持する可撓性を有する金属製の支持パイプと、上端側に上記支持パイプの下端が嵌合される嵌合穴を有し下端側にフランジを備える円筒状の口金と、円筒状のシールドケース内に音声出力部が収納され所定の基台上に固定されるベース部とを含み、上記フランジに嵌着されるリングカプラーを介して上記口金の下端側が上記ベース部に連結されるとともに、上記マイクロホンユニットと上記音声出力部とが上記支持パイプおよび上記口金内に挿通されるシールド被覆線を有するマイクコードを介して電気的に接続されるコンデンサマイクロホンにおいて、
上記口金内には、上記嵌合穴の底部から上記口金の下端にかけて上記マイクコードの外径よりも大径の拡径円筒部が形成され、上記マイクコードは、少なくとも上記拡径円筒部に挿通される部分に外皮を切除してなるシールド被覆線露出部を備え、上記拡径円筒部には、上記シールド被覆線露出部の周りに配置される導電布と、上記導電布を上記口金の軸方向に圧縮して上記シールド被覆線露出部と上記拡径円筒部の内面とに緊密に接触させる押圧手段とが設けられていることを特徴とするコンデンサマイクロホン。
【請求項２】
上記嵌合穴と上記拡径円筒部との間には、上記拡径円筒部よりも小径で上記導電布の上端が当接されるストッパ壁が形成されていることを特徴とする請求項１に記載のコンデンサマイクロホン。
【請求項３】
上記拡径円筒部の下端側には、上記拡径円筒部よりもさらに大径で雌ねじを有する円筒凹部が同軸的に形成されており、上記円筒凹部内には、上記導電布の下端側に配置されるゴム円筒体と、上記雌ねじに螺合し上記ゴム円筒体および上記導電布を上記口金の軸方向に圧縮する上記押圧手段としてのロックリングとが設けられることを特徴とする請求項１または２に記載のコンデンサマイクロホン。
【請求項４】
上記導電布と上記ゴム円筒体との間には、金属製のワッシャーが配置されることを特徴とする請求項１ないし３のいずれか１項に記載のコンデンサマイクロホン。
【発明の詳細な説明】
【技術分野】
【０００１】
本発明は、マイクロホンユニットを可撓性を有する金属製の支持パイプにて支持してなるグースネック型のコンデンサマイクロホンに関し、さらに詳しく言えば、支持パイプ内に挿通されるマイクコードのシールド性を良好とし、携帯電話などから放射される強い電磁波による雑音の発生を効果的に防止する技術に関するものである。
【背景技術】
【０００２】
マイクロホンは、音楽用やスタジオ用、会議用それにテレビカメラ用など用途に応じて使い分けられるが、このうち会議用には、マイクロホンの向きが自在に変えられ、しかもマイクロホンが余り目立つことがないグースネック型のコンデンサマイクロホンが多く使用されている。  
【０００３】
その典型的な従来例を図４により説明すると、グースネック型のコンデンサマイクロホンでは、マイクロホンユニット１０は、フレキシブルパイプ２１よりなる支持パイプ２０の上端に取り付けられて使用される。
【０００４】
支持パイプ２０の下端には口金２２が一体的に設けられており、この口金２２の部分が机などの基台に固定されている金属製の円筒体からなるベース部２４にリングカプラー２３を介して連結される。リングカプラー２３は雌ねじを有するスクリュー式で、ベース部２４側に形成されている図示しない雄ねじに螺合することにより、支持パイプ２０が口金２２を介してベース部２４に強固に連結される。
【０００５】
なお、マイクロホンユニット１０には、胸元に取り付けて使用される例えばタイピン型のような小型なユニットが用いられる。また、この例では、支持パイプ２０の全体がフレキシブルパイプ２１よりなるが、一部に金属製の入れ子式パイプよりなる伸縮パイプを含む場合もある。
【０００６】
図示しないが、マイクロホンユニット１０には、振動板と固定極とを対向的に配置してなる一種のコンデンサを形成する音響電気変換器と、その静電容量の変化を電気的な音声信号に変換するインピーダンス変換器としてのＦＥＴ（電界効果トランジスタ）などが設けられている。
【０００７】
コンデンサマイクロホンは、マイクロホンユニット１０のほかに、ローカットフィルタや給電用のトランスおよび出力コネクタ（ＥＩＡＪ  ＲＣ５２３６に規定されているコネクタ）を含む音声出力部（パワーモジュール部）４０を備える。
【０００８】
例えば手持ち式のコンデンサマイクロホン（ハンドマイクロホン）では、マイクロホンユニット１０と音声出力部４０は同一の円筒状のマイク筐体内に収納されるが、グースネック型の場合、マイクロホンユニット１０と音声出力部４０は分離して配置され、支持パイプ２０内に挿通されるマイクコード３０にて接続される。
【０００９】
音声出力部４０は、それ自体シールドケース４１を備えるが、設置時には、ベース部２４をさらにシールドケースとして、ベース部２４内に収納される。
【００１０】
図６を参照して、マイクコード３０には、マイクロホンユニット１０に電源を供給する電源線３１と、上記インピーダンス変換器から出力される音声信号を音声出力部４０に送信する信号線３２と、これら電源線３１，信号線３２を静電遮断し接地に接続されるシールド被覆線３３とを含む２芯シールドケーブルが用いられる。図示しないが、シールド被覆線３３は、マイクロホンユニット１０側で、そのユニット筐体（シールドケース）と支持パイプとに接続される。
【００１１】
ところで、２芯シールドケーブルでは、音声信号が不平衡で伝送されるため、外部からの雑音（外来電波）に対して弱く、その雑音の影響をうけやすい。したがって、マイクコード３０に強い電磁波が加えられると、その電磁波による高周波電流がマイクロホンユニット１０や音声出力回路４０に入り込み雑音が発生することがある。
【００１２】
特に、グースネック型のコンデンサマイクロホンの場合、上記したように、マイクロホンユニット１０のユニット筐体と支持パイプ２０とが、マイクコード３０の上端側でシールド被覆線３３に共通接地されるため、支持パイプ２０は強い電磁波を受けるとアンテナとして作用することがある。
【００１３】
その結果、支持パイプ２０にて受信された電磁波による高周波電流がマイクロホンユニット１０内に入り込み、上記インピーダンス変換器で検波されることにより、雑音が発生する。
【００１４】
近年、携帯電話機が急速に普及しているが、マイクロホンの近くで携帯電話機が使用された場合かなり強い電磁波（例えば、数ｃｍ〜数１０ｃｍ程度の範囲内では商用電波により市中で生じている電界強度の数万倍に達する電界強度）を受けるため、マイクロホンの分野ではその対策が急務となっている。  
【００１５】
この点を解決するため、本出願人は特許文献１に記載の発明を提案しており、これについて図５，図６により説明する。図５は支持パイプの下端に取り付けられている口金部分を示す拡大断面図で、図６はマイクコードの一部分を示す斜視図である。なお、全体的な構成については図４を参照されたい。
【００１６】
上記特許文献１に記載の発明では、支持パイプ２０内に挿通されるマイクコード３０のうち少なくとも口金２２内を通される部分に、図６に示すように、外皮（シース）３４を切除してシールド被覆線３３をむき出しとしたシールド被覆線露出部３３ａを設け、このシールド被覆線露出部３３ａに銅合金などの金属管３５を被せてかしめる。
【００１７】
そして、図５に示すように、金属管３５を口金２２内に位置させ、口金２２の胴部に設けられている押しねじ２２ａで金属管３５を口金２２の内面に押し付けて固定する。
【００１８】
これにより、マイクコード３０が口金２２に機械的に固定されるとともに、支持パイプ２０の下端側は、口金２２および金属管３５を介してマイクコード３０のシールド被覆線３３と電気的に接続されることになる。
【００１９】
これによれば、支持パイプ２０は、先に説明したように上端側でマイクコード３０のシールド被覆線３３に電気的に接続されるのに加えて、下端側でもマイクコード３０のシールド被覆線３３に電気的に接続されるため、すなわち上端側と下端側の２箇所でシールド被覆線３３に電気的に接続されるため、支持パイプ２０のシールド性がより高められ、強い電磁波による雑音発生が低減される。
【００２０】
【特許文献１】特開２００５−３２３２２６号公報（図３）
【発明の開示】
【発明が解決しようとする課題】
【００２１】
しかしながら、組み立てるうえで、まず、金属管３５をシールド被覆線露出部３３ａに被せてかしめるようにしているため、その作業に特殊な工具が必要であり、また、必要以上につよくかしめたりすると断線に至ることもある。このような場合、マイクコード３０を廃棄せざるを得ない。
【００２２】
また、押しねじ２２ａで金属管３５を固定する際、強く締め付けると金属管３５に変形をきたし、最悪の場合、電源線３１や信号線３２の絶縁被覆を押し潰してしまい短絡が発生することもある。
【００２３】
これに対して、押しねじ２２ａの締め付けが弱い場合には、例えばマイクロホンを設置する際、マイクコード３０がなんらかの原因で引っ張られると、押しねじ２２ａに対して金属管３５がスリップし、マイクコード３０の先端側が外れてしまうこともある。
【００２４】
さらには、口金２２に対して金属管３５を押しねじ２２ａにて横方向から押し付けているため、その接触部位が点接触もしくは線接触であり、接触不良が発生しやすい。
【００２５】
したがって、本発明の課題は、グースネック型のコンデンサマイクロホンにおいて、支持パイプ内に挿通されるマイクコードを、支持パイプに下端に設けられている口金に対して、簡単な作業により電気的にも機械的にも確実に接続し得るようにすることにある。
【課題を解決するための手段】
【００２６】
上記した課題を解決するため、本発明は、請求項１に記載されているように、マイクロホンユニットと、上記マイクロホンユニットを上端側で支持する可撓性を有する金属製の支持パイプと、上端側に上記支持パイプの下端が嵌合される嵌合穴を有し下端側にフランジを備える円筒状の口金と、円筒状のシールドケース内に音声出力部が収納され所定の基台上に固定されるベース部とを含み、上記フランジに嵌着されるリングカプラーを介して上記口金の下端側が上記ベース部に連結されるとともに、上記マイクロホンユニットと上記音声出力部とが上記支持パイプおよび上記口金内に挿通されるシールド被覆線を有するマイクコードを介して電気的に接続されるコンデンサマイクロホンにおいて、上記口金内には、上記嵌合穴の底部から上記口金の下端にかけて上記マイクコードの外径よりも大径の拡径円筒部が形成され、上記マイクコードは、少なくとも上記拡径円筒部に挿通される部分に外皮を切除してなるシールド被覆線露出部を備え、上記拡径円筒部には、上記シールド被覆線露出部の周りに配置される導電布と、上記導電布を上記口金の軸方向に圧縮して上記シールド被覆線露出部と上記拡径円筒部の内面とに緊密に接触させる押圧手段とが設けられていることを特徴としている。
【００２７】
本発明の好ましい態様によれば、請求項２に記載されているように、上記嵌合穴と上記拡径円筒部との間には、上記拡径円筒部よりも小径で上記導電布の上端が当接されるストッパ壁が形成される。
【００２８】
また、請求項３に記載されているように、上記拡径円筒部の下端側には、上記拡径円筒部よりもさらに大径で雌ねじを有する円筒凹部が同軸的に形成され、上記円筒凹部内には、上記導電布の下端側に配置されるゴム円筒体と、上記雌ねじに螺合し上記ゴム円筒体および上記導電布を上記口金の軸方向に圧縮する上記押圧手段としてのロックリングとが設けられる。
【００２９】
また、請求項４に記載されているように、上記導電布と上記ゴム円筒体との間には、金属製のワッシャーが配置されることが好ましい。
【発明の効果】
【００３０】
請求項１の構成によれば、口金内においてシールド被覆線露出部の周りに導電布が配置され、導電布が押圧手段により口金の軸方向に圧縮されてシールド被覆線露出部と拡径円筒部の内面とに緊密に接触することにより、マイクコードのシールド被覆線と口金とが導電布を介して広い面をもって電気的に接続され、支持パイプのシールド性がほぼ完全となる。また、組立作業にしても、かしめ作業や押しねじによる固定作業が不要となるため、組立作業性も大幅に改善される。
【００３１】
また、請求項２に記載のように、嵌合穴と拡径円筒部との間に、拡径円筒部よりも小径で導電布の上端が当接されるストッパ壁を設けることにより、導電布を確実に圧縮することができる。
【００３２】
また、請求項３に記載のように、拡径円筒部の下端側に拡径円筒部よりもさらに大径で雌ねじを有する円筒凹部を同軸的に形成し、その円筒凹部内に導電布の下端側に配置されるゴム円筒体と、雌ねじに螺合しゴム円筒体および導電布を口金の軸方向に圧縮する押圧手段としてのロックリングとを設けることにより、請求項１の効果に加えて、マイクコードを確実に固定することができる。
【００３３】
また、請求項４に記載のように、導電布とゴム円筒体との間に金属製のワッシャーを配置することにより、導電布およびゴム円筒体を圧縮する際の潰れ具合を制限することができる。
【発明を実施するための最良の形態】
【００３４】
次に、図１ないし図３により、本発明の実施形態について説明する。図１は本発明の要部である口金に対するマイクコードの挿通部分を示す分解図，図２は口金内にマイクコードを挿通した状態を示す断面図，図３は口金内にマイクコードを固定した状態を示す断面図である。
【００３５】
なお、図１ないし図３には本発明の要部しか示されていないが、マイクロホンユニットおよび音声出力部を含む全体構成については、図４を参照されたい。また、先の図４ないし図６で説明した従来例と同一であってよい構成要素には同じ参照符号を付している。
【００３６】
図１に示すように、本発明のコンデンサマイクロホンにおいても、グースネック型であることから、上端でマイクロホンユニット１０（図４参照）を支持するフレキシブルパイプ２１を含む支持パイプ２０が用いられ、支持パイプ２０の下端に口金２２０が一体的に取り付けられる。
【００３７】
本発明においても、マイクロホンユニット１０にはコンデンサマイクロホンユニットが用いられる。また、支持パイプ２０は、その全体がフレキシブルパイプ２１であってもよいし、中間もしくは上端側，下端側のいずれかに、金属製の入れ子式パイプからなる伸縮パイプが介装されていてもよい。
【００３８】
口金２２０は、例えば銅合金などからなる金属製の円筒体で、上端側に支持パイプ２０の下端が嵌合される嵌合穴２２１を有し、下端側には拡径されたフランジ２２２が形成されている。
【００３９】
フランジ２２２にはリングカプラー２３が嵌着され、このリングカプラー２３により口金２２０がベース部２４に連結される。この例において、リングカプラー２３は雌ねじを有するスクリュー式で、ベース部２４側に形成されている図示しない雄ねじに螺合することにより、支持パイプ２０が口金２２０を介してベース部２４に強固に連結される。リングカプラー２３に別の形式のカプラーが用いられてもよい。
【００４０】
ベース部２４は金属製の円筒体からなり、図示しない机などの基台にねじなどの固定手段にて固定されている。先の図４で説明したように、マイクロホンを基台に設置する際、ベース部２４内には音声出力部４０が収納される。
【００４１】
支持パイプ２０にて支持されているマイクロホンユニット１０と音声出力部４０とを電気的に接続するため、支持パイプ２０および口金２２０内にマイクコード３０が挿通される。
【００４２】
マイクコード３０は、電源線３１，信号線３２，シールド被覆線３３および外皮３４をを有する２芯シールドケーブルで、支持パイプ２０の上端側でシールド被覆線３３はマイクロホンユニット１０のユニットケースと支持パイプ２０とに電気的に接続される
【００４３】
口金２２０内には、支持パイプ２０に対する嵌合穴２２１の底部からフランジ２２２側の下端にかけて、マイクコード３０の外径よりも大径の拡径円筒部２２３が形成されているとともに、嵌合穴２２１と拡径円筒部２２３との間には、マイクコード３０の外径よりも大径であるが拡径円筒部２２３よりも小径のストッパ壁２２４が形成されている。
【００４４】
また、この実施形態によると、拡径円筒部２２３の下端側には、拡径円筒部２２３よりもさらに大径で雌ねじ２２６を有する円筒凹部２２５が同軸的に形成されている。すなわち、拡径円筒部２２３には、その下端側にさらに大径に形成された円筒凹部２２５が含まれている。
【００４５】
マイクコード３０を口金２２０内に挿通するにあたって、マイクコード３０には、少なくとも拡径円筒部２２３に挿通される部分に外皮３４を切除してなるシールド被覆線露出部３３ａが設けられる。
【００４６】
なお、この例では、拡径円筒部２２３に挿通される部分のみでなく、そこからマイクコード３０の上端に至る部分にかけて外皮３４が切除されているが、これはマイクコード３０と支持パイプ２０との電気的接続をより良好とするためである。本発明では、上記したように、少なくとも拡径円筒部２２３に挿通される部分にシールド被覆線露出部３３ａが設けられればよい。
【００４７】
図２を併せて参照して、マイクコード３０を口金２２０内に挿通する際、拡径円筒部２２３内に導電布（Ｃｏｎｄｕｃｔｉｖｅ  Ｆａｂｒｉｃ）５１が収納される。導電布５１は、シールド被覆線露出部３３ａの周りに配置されるように円筒状として拡径円筒部２２３内に収納されることが好ましい。
【００４８】
この場合、導電布５１からなる円筒体の軸長を、拡径円筒部２２３の軸長よりも長くして、図２に示すように、導電布５１の上端をストッパ壁２２４に突き当てたとき、その下端が拡径円筒部２２３から突出するようにする。
【００４９】
また、円筒凹部２２５内には、ゴム円筒体５３が収納されるが、このゴム円筒体５３についても、その軸長を円筒凹部２２５の軸長よりも長くして、ゴム円筒体５３の下端側の一部分が円筒凹部２２５から突出するようにする。
【００５０】
ゴム円筒体５３の弾力は、導電布５１の弾力よりも硬くする。また、導電布５１とゴム円筒体５３との間に、金属製のワッシャー５２を配置することが好ましい。
【００５１】
最後に、円筒凹部２２５の雌ねじ２２６と螺合する雄ねじ４１を有するロックリング５４を円筒凹部２２５内にはめ込み、ロックリング５４を締め付けて、図３に示すように、導電布５１およびゴム円筒体５３を口金２２０の軸方向に圧縮する。
【００５２】
これにより、まず、導電布５１が潰れて、シールド被覆線露出部３３ａと拡径円筒部２２３の内面とに緊密に接触するため、支持パイプ２０のシールド性がより高められる。なお、導電布５１とゴム円筒体５３との間に金属製のワッシャー５２が配置されていることにより、導電布５１およびゴム円筒体５３の潰れ具合が制限される。
【００５３】
次いで、ゴム円筒体５３が潰れて、内径側は縮小し外径側は径方向に広がるため、マイクコード３０が口金２２０内に機械的に強固に固定され、なんらかの原因でマイクコード３０がベース部２４側から引っ張られても、マイクコード３０がずれることはない。
【００５４】
また、ロックリング５４をゆるめて円筒凹部２２５から取り外すことにより、容易に分解できるため、メンテナンス性の点でも優れている。
【図面の簡単な説明】
【００５５】
【図１】本発明の要部である口金に対するマイクコードの挿通部分を示す分解図。
【図２】本発明において、口金内にマイクコードを挿通した状態を示す断面図。
【図３】本発明において、口金内にマイクコードを固定した状態を示す断面図。
【図４】従来のグースネック型のコンデンサマイクロホンを示す正面図。
【図５】従来例における口金内でのマイクコードの固定構造を示す拡大断面図。
【図６】上記従来例に用いられるマイクコードの一部分を示す斜視図。
【符号の説明】
【００５６】
１０  マイクロホンユニット
２０  支持パイプ
２１  フレキシブルパイプ
２２０  口金
２２１  嵌合穴
２２２  フランジ
２２３  拡径円筒部
２２４  ストッパ壁
２２５  円筒凹部
２２６  雌ねじ
２３  リングカプラー
２４  ベース部
３０  マイクコード
３３  シールド被覆線
３３ａ  シールド被覆線露出部
４０  音声出力部
５１  導電布
５２  ワッシャー
５３  ゴム円筒体
５４  ロックリング
【図１】
2008311897.tif 000003
【図２】
2008311897.tif 000004
【図３】
2008311897.tif 000005
【図４】
2008311897.tif 000006
【図５】
2008311897.tif 000007
【図６】
2008311897.tif 000008